(57)【要約】【課題】一つの動作で集塵室よりバスケット部を含む集塵ケースをスムーズに取り出せ、バスケット部から紙袋を簡単に廃棄することができる電気掃除機を提供すること。【解決手段】吸引風を発する電動送風機２を内蔵する本体１と、本体１に着脱自在で、塵埃を捕集する紙袋５を装着可能な集塵ケース１９とを備え、集塵ケース１９は、天面部１７と、前壁部８および紙袋５が載置される底壁部２０を有したバスケット部により一体に構成され、前壁部８が底壁部２０に回動自在に軸支される構成としたもので、集塵ケース１９から紙袋５を捨てる際に、集塵蓋等を開ける必要が無く、一つの動作で集塵室３よりバスケット部１８を含む集塵ケース１９をスムーズに取り出せ、その後、集塵ケース１９を前方に傾けるだけでバスケット部１８の前壁部８が回動し、紙袋５が前方より自重で落下するため、紙袋５を簡単に廃棄できるようになる。【選択図】図２
2006102032.tif 000002
【特許請求の範囲】
【請求項１】
吸引風を発する電動送風機を内蔵する本体と、前記本体に着脱自在で、塵埃を捕集する紙袋を装着可能な集塵ケースとを備え、前記集塵ケースは、天面部と、前壁部および紙袋が載置される底壁部を有したバスケット部により一体に構成され、前記前壁部が前記底壁部に回動自在に軸支された電気掃除機。
【請求項２】
前壁部は、略コの字状の溝部を備え、前記溝部に紙袋の台紙を装着可能な請求項１記載の電気掃除機。
【請求項３】
バスケット部に、左右の側壁または後壁の少なくとも１つを設けた請求項１または２に記載の電気掃除機。
【請求項４】
集塵ケースのバスケット部が、天面部に対し上下方向に摺動可能に構成した請求項１〜３のいずれか１項に記載の電気掃除機。
【請求項５】
本体に、紙袋の台紙と当接しエアータイトを行うタイト弁を備え、天面部には、集塵ケースを前記本体に装着したとき、前記紙袋の台紙を前記タイト弁に押圧し、エアータイトおよび位置決めを行うリブ体を設けた請求項１〜４のいずれか１項に記載の電気掃除機。
【請求項６】
集塵ケースを収納する集塵室の外周部にパッキン体を備え、前記パッキン体と前記集塵ケースの天面部が圧接し前記集塵室内のエアータイト行う請求項１〜５のいずれか１項に記載の電気掃除機。
【請求項７】
バスケット部に、天面部を上方向へ付勢する付勢手段を設けた請求１〜６のいずれか１項に記載の電気掃除機。
【発明の詳細な説明】
【技術分野】
【０００１】
本発明は、掃除機本体に着脱可能な集塵ケースを備えた、電気掃除機に関するものである。
【背景技術】
【０００２】
従来の電気掃除機について、図１２、図１３を用いて説明する。
【０００３】
従来の電気掃除機は、掃除機本体１に、吸引風を発生させる電動送風機２と集塵室３が内蔵されており、集塵室３を開閉自在に覆う集塵蓋４を備えている。集塵室３内部には塵埃を捕集する紙袋５を装着する為のバスケット体６が着脱自在に設けられている。バスケット体６の後面には、紙袋５を取り出す為の、取出口７が設けられ、バスケット体６の前壁部８の上方には紙袋５を係止させるクランプ９を備えている。また前壁部８の上方には、バスケット体を持運ぶ為のハンドル部１０が形成されている。
【０００４】
上記のような構成で、紙袋５に塵埃が一杯になり紙袋５を捨てる際には、集塵蓋４を開け、バスケット体６を掃除機本体１から取り出し、バスケット体６の後面の取出口７を床面側に傾かせ、クランプ９を解除して、バスケット体６から紙袋５を廃棄していた。また、新しい紙袋５を装着する際には、紙袋５をバスケット体６のクランプ９にセットし、掃除機本体１に挿入後、集塵蓋４を閉める必要があった(例えば、特許文献１参照)。
【特許文献１】特開２０００−７０９１４号公報
【発明の開示】
【発明が解決しようとする課題】
【０００５】
しかしながら、上記構成では、紙袋５に塵埃が一杯になり紙袋５を捨てる際に、集塵蓋４を開ける動作が必要であり、かつクランプ９を解除する動作も必要で面倒であり、また紙袋５を係止する為の部品が必要で部品点数が増加していた。
【０００６】
また、バスケット体６の後面が紙袋５を廃棄する為に開放しているため、バスケット体６を集塵室３から取り出す際に、大きく膨らんだ紙袋５の後面と集塵室３の壁が当たり、バスケット体６を取出し難いという問題もあった。
【０００７】
本発明は上記課題を解決するもので、一つの動作で集塵室よりバスケット部を含む集塵ケースをスムーズに取り出せ、集塵ケースから紙袋を簡単に廃棄することができる、使い勝手のよい電気掃除機を提供することを目的とする。
【課題を解決するための手段】
【０００８】
上記従来の課題を解決するために本発明は、吸引風を発する電動送風機を内蔵する本体と、前記本体に着脱可能で、塵埃を捕集する紙袋を装着可能な集塵ケースを備え、前記集塵ケースは、天面部と、前壁部および紙袋が載置される底面部を有したバスケット部により一体に構成され、前記前壁部が前記底壁部に回動自在に軸支されるもので、一つの動作で集塵室よりバスケット部を含む集塵ケースをスムーズに取り出せ、集塵ケースから紙袋を簡単に廃棄することができる、使い勝手のよい電気掃除機を提供するものである。
【発明の効果】
【０００９】
上記発明によれば、一つの動作で集塵室よりバスケット部を含む集塵ケースをスムーズに取り出せ、バスケット部から紙袋を簡単に廃棄することができる、使い勝手のよい電気掃除機を提供することができる。
【発明を実施するための最良の形態】
【００１０】
第１の発明は、吸引風を発する電動送風機を内蔵する本体と、前記本体に着脱可能で、塵埃を捕集する紙袋を装着可能な集塵ケースを備え、前記集塵ケースは、天面部と、前壁部および紙袋が載置される底面部を有したバスケット部により一体に構成され、前記前壁部が前記底壁部に回動自在に軸支されたもので、集塵ケースから紙袋を捨てる際に、集塵蓋を開ける必要が無く、一つの動作で集塵室よりバスケット部を含む集塵ケースをスムーズに取り出せ、取り出し後、集塵ケースを前方に傾けるだけでバスケット部の前壁部が回動し、紙袋が前方より自重で落下し簡単に廃棄できる。また、紙袋を係止させるクランプが必要ないため部品点数を削減でき、安価に使い勝手を向上できる。
【００１１】
第２の発明は、前壁部は、略コの字状の溝部を備え、前記溝部に紙袋の台紙を装着可能としたもので、集塵ケースから紙袋を捨てる際に、前壁部が回動するのと同時に、前壁部の溝に装着された紙袋の台紙も回動され、台紙が溝部内をスライドし、紙袋が誘導されてスムーズに落下するため、簡単に廃棄でき使い勝手を向上できる。
【００１２】
第３の発明は、バスケット部に、左右の側壁または後壁の少なくとも１つを設けたもので、紙袋を後方では無く前方を回動させて廃棄するため、バスケット部の後方を開放する必要が無く、紙袋の前後、側面を壁で覆うことが可能であり、紙袋と集塵室が直接当たらない為、紙袋が大きく膨らんだ際にも、よりスムーズに集塵室から集塵ケースを取出すことができる。一方、紙袋が膨らんだ際に、紙袋が集塵室にへばりつく事が無く、バスケット部と集塵室の間に空気の通路を確保できるため、吸込み性能が低下せず、使い勝手を向上できる。
【００１３】
第４の発明は、集塵ケースのバスケット部が、天面部に対し上下方向に摺動可能にしたもので、集塵ケースを掃除機本体に収納時にはバスケット部が上方向に縮むため本体の容積を小さくでき、紙袋を捨てる時には、バスケット部が下方向に摺動するため、天面部が、前壁部および紙袋が回動する妨げにならない位置となり、よりスムーズに紙袋を廃棄でき使い勝手を向上できる。
【００１４】
第５の発明は、本体に、紙袋の台紙と当接しタイトを行うタイト弁を備え、天面部に、集塵ケースを前記本体に装着時に、前記紙袋の台紙を前記タイト弁に押圧しタイトおよび位置決めを行うリブ体を設けたもので、紙袋を廃棄後、集塵ケースに新しい紙袋を装着し本体に挿入する際に、集塵ケースを装着完了と同時に紙袋の台紙がタイト弁に押圧されてタイトおよび位置決めが行われるため、位置規制を意識する面倒が無く、本体と紙袋の台紙とのエアータイトを確実にすることが可能である。さらに、集塵ケースを挿入時に、挿入初期から紙袋の台紙をタイト弁に押圧する必要が無く、挿入時のタイト弁と紙袋の台紙の摩擦を低減でき、よりスムーズに集塵ケースを挿入できるため、使い勝手を向上できる。
【００１５】
第６の発明は、本体は、集塵ケースを収納する集塵室と、前記集塵室外周部にパッキン体を備え、前記パッキン体と前記集塵ケースの天面部が圧接し前記集塵室内のエアータイト行うもので、パッキン体と集塵ケースの天面部により集塵室はエアータイトされるため、天面部とバスケット部により構成される集塵ケース内を密閉状態にする必要はなく、よって回動する前壁部と集塵ケースのエアータイト用パッキン等が不要で、安価に使い勝手を向上できる。さらにバスケット部はエアータイトが不必要なため、側壁、後壁、底面部に通気用の孔部を設けることが可能であり、紙袋は側面、後面、底面の周囲より吸引されるため、吸い込み性能を増加することが可能で、より使い勝手を向上できる。
【００１６】
第７の発明は、バスケット部に、天面部を上方向へ付勢する付勢手段を設けたもので、紙袋を捨てる時には、係合部と非係合部の嵌合が開放すると同時に、付勢手段により天面部が上方向に自動的に摺動するため、より簡単に天面部が、前壁部および紙袋が回動する妨げにならない位置になり、使い勝手を向上できる。
【００１７】
以下、本発明の実施の形態について、図面を参照しながら説明する。なお、この実施の形態によりこの発明が限定されるものではない。
【００１８】
（実施の形態１）
本発明の第１の実施の形態について、図１〜図７を用いて説明する。
【００１９】
図１は第１の実施の形態における電気掃除機の全体斜視図、図２は同掃除機本体の断面図を示す。図１および図２において、本体１は、吸引風を発生させる電動送風機２と、電動送風機２の吸引風の上流側には集塵室３を設けている。さらに集塵室３の上流側には、吸気口３１および紙袋５と掃除機本体１をタイトするタイト弁３２を有し、吸気口３１にはホース１１の一端が接続され、他端には延長管１２を介して床用吸込み口１３を接続している。また集塵室３の外周にはエラストマーにより成型されたパッキン体１４を有し、集塵室の本体後方側には、バネ体および本体前後に摺動可能な係合部１５を備える。さらに集塵室３より着脱自在で、天面部１７、および塵埃を捕集する紙袋５を装着可能なバスケット部１８からなる集塵ケース１９を備えている。
【００２０】
次に図３〜図６を用いて集塵ケース１９の詳細について説明する。
【００２１】
図３は集塵ケース１９の側面図を示す。集塵ケース１９は、大きく天面部１７と、バスケット部１８から構成され、さらにバスケット部１８は前壁部８と、紙袋５を載せる底壁部２０および側壁部２１、後壁部２２から構成される。また、前壁部８は軸２３により底壁部２０に軸支され、回動自在である。さらに前壁部８は略コの字状の溝部２４を有しており、その溝部２４に紙袋５の台紙２５を挿入し装着可能である。また、底壁部２０、側壁部２１、後壁部２２には吸引風を通過させるための孔２６を設けてある。一方、天面部１７は両端に、側壁部２１の突起２７と嵌合するガイド枠２８を備え、ガイド枠２８内を突起２７が摺動することにより、天面部１７に対して、バスケット部１８が上下方向に摺動可能である。一方、天面部１７の紙袋５の台紙２５の上方内面には、集塵ケース１９を掃除機本体１に装着時に、台紙２５をタイト弁３２の方向に押圧可能なリブ体２９を備える。さらに、集塵ケース１９の天面部１７外郭位置に、掃除機本体１の後部が開放され後部より把持可能な凹部を有するスリッパハンドル３０を備える。また、天面部１７は透明の材質により構成されている。
【００２２】
以上のように構成された電気掃除機について、以下その動作、作用を説明する。
【００２３】
紙袋５が満杯になり集塵ケース１９より紙袋５を捨てる際には、まず、係合部１５を掃除機本体１後部側に摺動させ、非係合部１６とのロックを解除させた状態で、スリッパハンドル３０の掃除機本体１後部の凹部側に手指を挿入して、集塵ケース１９を持ち上げて取り出す。この時、図４に示すように、バスケット部１８は自重および紙袋５の重さにより、自然に天面部１７に対して下方向に摺動する。次に図５に示すように、集塵ケース１９を前方に傾けると、紙袋５の自重により前壁部８が回動し、紙袋５の自重で落下し簡単に廃棄できる。上記の構成により、集塵ケース１９を集塵蓋等を開ける必要がなく一つの動作で簡単に取り出せ、取り出し後も、集塵ケース１９を傾けるだけで簡単に紙袋５を廃棄できる。
【００２４】
また、前壁部８が回動する際に、紙袋５の台紙２５が溝部２４内をスライドして、紙袋５が誘導されるため、スムーズに落下し、簡単に廃棄できる。
【００２５】
また、紙袋５は底壁部２０、側壁部２１、後壁部２２に囲まれているため、集塵室３と直接当たる事がなく、紙袋５が大きく膨らんだ場合にも、容易に集塵室３から集塵ケース１９内の紙袋５を取り出すことができる。さらに、紙袋５が膨らんだ際に、紙袋５が集塵室３にへばりつく事が無く、孔２６によりバスケット部１８と集塵室３の間に空気の通路を確保でき、吸込み性能が低下せず、使い勝手を向上できる。
【００２６】
また、バスケット部１８が天面部１７に対して下方向に摺動するため、紙袋５を捨てる際に、天面部１７が前壁部８および紙袋５が回動する妨げとならない位置となり、よりスムーズに廃棄でき、使い勝手を向上できる。さらに、集塵ケース１９を集塵室３に収納時には、天面部１７がバスケット部６方向に摺動し縮むため、掃除機本体１の高さ方向の容積を小さくすることが可能で、よりコンパクトで使い勝手を向上できる。
【００２７】
図７、図８、図１に示すように、紙袋５を廃棄後、新しい紙袋５を装着し集塵ケース１９を集塵室３に装着する時には、バスケット部１８が集塵室３の底面に先当たりし、そのまま挿入を行うと、バスケット部１８が天面部１７方向に摺動し縮んでセットされる。この時、集塵ケース１９の装着完了と同時に、リブ体２９の傾斜に沿って、紙袋５の台紙２５がタイト弁３２の方向に押圧され、位置規制を意識することなくタイト弁３２と台紙２５のタイトが可能で、位置規制を注意する面倒が無くなる。さらに確実にタイトされるため紙袋５の台紙２５の口からのごみこぼれを防止でき、使い勝手を向上できる。さらに、集塵ケース１９を挿入時に、挿入初期から紙袋５の台紙２５をタイト弁３２に押圧する必要が無く、挿入時のタイト弁３２と台紙２５の摩擦を低減でき、よりスムーズに集塵ケース１９を挿入できるため、使い勝手を向上できる。
【００２８】
また、集塵ケース１９を集塵室３に装着状態では、集塵室３の外周部のパッキン体１４と天面部１７が接圧し集塵室３内をエアータイトするため、天面部１７とバスケット部１８により構成される集塵ケース内を密閉状態にする必要はなく、よって回動する前壁部８と集塵ケース１９のエアータイト用パッキン等不要で、安価に本構成を実現できる。さらに集塵ケース１９を集塵室３に装着状態では、係合部１５が天面部１７の非係合部１６と嵌合されるため、集塵ケース１９が確実に固定され、さらにパッキン体１４の反発力を抑え、天面部１７を本体下方向に押圧し、圧接状態にさせるため、より確実にエアータイト可能である。
【００２９】
また、集塵ケース１９を集塵室３より持ち上げて取り出す際には、スリッパハンドル３０を把持する事により簡単に取り出せる。さらに、掃除機本体１後部側の凹部を有したスリッパハンドル３０により、紙袋５を捨てる際に、取り出したそのままの姿勢で前方向に傾けるだけで前壁部が回動して紙袋が廃棄可能であり、手首を返したり等の無理な姿勢、動作が必要なく簡単に廃棄でき、使い勝手を向上できる。
【００３０】
一方、天面部１７が透明の部材により構成されているため、紙袋５を捨てる際に、集塵ケース１９を前方向に傾ける時に、前壁部８および紙袋５が回動する様子を透明の天面部１７を通して確認することができ、また廃棄後、新しい紙袋をセットする際にも、横からでは無く上方から透明の天面部１７を通してセット位置を確認することができるため、横から確認するための姿勢をする必要が無く、使い勝手を向上できる。
【００３１】
（実施の形態２）
本発明の第２の実施の形態について図９、図１０、図１１をもとに説明する。なお、実施の形態１と同一部分については同一符号を付してその説明を省略する。
【００３２】
図９に第２の実施の集塵ケース１９の縮んだ状態の側面図、及び図１０に伸びた状態の側面図を示す。天面部１７の左右対称の位置に、側壁部２１と天面部１７のガイド枠２８の間にバネ体３３を備え、バスケット部１８に対し天面部１７を上方向に付勢している。また、左右対称のバネ体３３は同じ付勢力になるよう調整してある。以上のように構成された電気掃除機について、以下その動作、作用を説明する。
【００３３】
図１１に示すように、ごみが一杯になった紙袋５を捨てる際には、係合部１５と非係合部１６の嵌合を開放すると同時に、天面部１７はバネ体３３の付勢力により、上方向に摺動するため、より簡単に天面部１７が、前壁部８および紙袋５が回動する妨げにならない位置になり、使い勝手を向上できる。さらに、紙袋５のごみの入るバランスが悪い場合にも、ガイド枠２８の片方のみが伸びるといったことは無く、確実に左右のバランスを保ち上方向に摺動可能で、使い勝手を向上できる。
【産業上の利用可能性】
【００３４】
以上のように、本発明にかかる電気掃除機は、一つの動作で集塵室よりバスケット部を含む集塵ケースをスムーズに取り出せ、バスケット部から紙袋を簡単に廃棄することができるので、家庭、業務用等の電気掃除機に特に有用である。
【図面の簡単な説明】
【００３５】
【図１】本発明の実施の形態１を示す電気掃除機の全体斜視図
【図２】同電気掃除機の掃除機本体の断面図
【図３】同電気掃除機のバスケット部が縮んでいる時の集塵ケースの側面図
【図４】同電気掃除機のバスケット部が伸びている時の集塵ケースの側面図
【図５】同集塵ケースの前壁部が回動した時の動作図
【図６】同集塵ケースの前壁部が回動した時の斜視図
【図７】同電気掃除機の掃除機本体に集塵ケースを挿入前の断面図
【図８】同電気掃除機の掃除機本体に集塵ケースを挿入完了直前の断面図
【図９】本発明の実施の形態２を示す集塵ケースの側面図
【図１０】同電気掃除機のバスケット部が伸びている時の集塵ケースの側面図
【図１１】同電気掃除機の係合部を解除した後の断面図
【図１２】従来の電気掃除機の断面図
【図１３】同電気掃除機のバスケット体の断面図
【符号の説明】
【００３６】
１  掃除機本体
２  電動送風機
３  集塵室
５  紙袋
８  前壁部
１４  パッキン体
１５  係合部
１６  非係合部
１７  天面部
１８  バスケット部
１９  集塵ケース
２０  底壁部
２９  リブ体
３１  吸気口
３２  タイト弁
【図１】
2006102032.tif 000003
【図２】
2006102032.tif 000004
【図３】
2006102032.tif 000005
【図４】
2006102032.tif 000006
【図５】
2006102032.tif 000007
【図６】
2006102032.tif 000008
【図７】
2006102032.tif 000009
【図８】
2006102032.tif 000010
【図９】
2006102032.tif 000011
【図１０】
2006102032.tif 000012
【図１１】
2006102032.tif 000013
【図１２】
2006102032.tif 000014
【図１３】
2006102032.tif 000015